(57)【要約】【課題】封入封緘装置に機器別の特有の性能（状態）、保管や印刷内容等により変化する連続帳票、同封物、封筒の状態に最適な処理速度に自動的に設定する。【解決手段】処理速度が可変とされた封入封緘装置において、設定可能な区間内のエラー発生回数を監視する手段と、該エラー発生回数に応じて、処理速度をリアルタイムで変更する手段とを、マスタコントロールユニット２８に備える。【選択図】図２
2007022592.tif 000002
【特許請求の範囲】
【請求項１】
処理速度が可変とされた封入封緘装置において、
設定可能な区間内のエラー発生回数を監視する手段と、
該エラー発生回数に応じて、処理速度をリアルタイムで変更する手段と、
を備えたことを特徴とする封入封緘装置。
【請求項２】
前記エラー発生回数が許容回数以下の時は、処理速度を高め、前記エラー発生回数が許容回数を越えた時は、処理速度を低めることを特徴とする請求項１に記載の封入封緘装置。
【請求項３】
前記処理速度に、上限及び下限の少なくともいずれか一方が設定されていることを特徴とする請求項１又は２に記載の封入封緘装置。
【発明の詳細な説明】
【技術分野】
【０００１】
本発明は、処理速度が可変とされた封入封緘装置に係り、特に、最適な処理速度が自動的に設定される封入封緘装置に関する。
【背景技術】
【０００２】
近年、省力化、省人化の観点から、銀行等の各種支払い明細書や電話等の使用明細書等の帳票を自動的に封筒に封入し、封緘する、システム化された封入封緘装置が実用化されている。
【０００３】
この封入封緘装置では、連続状態の帳票を各帳票（単票）に切り出し、切り出した帳票を必要があれば折り畳み、一つの封筒に複数の帳票を封入する場合には、複数の帳票を揃えて重ね合わせ、帳票を封入に適した状態に整えてから封筒に挿入し、封筒のフラップを糊付けて、封筒に帳票を封入、封緘している。
【０００４】
封入封緘装置は、これらの処理を行なう複数の処理ユニットを連結してシステムを構成しており、帳票は搬送ベルト等の搬送装置を用いて、処理ユニット内及びユニット間を搬送されている。
【０００５】
この封入封緘装置の一例を示せば、図１（Ａ）（平面図）、（Ｂ）（正面図）に示す如く、カッタユニット１０と、搬送ユニット１２と、折りユニット１４と、プールユニット１６と、ジョイントユニット（ＭＪユニット）１８と、同封物供給ユニット２０と、封入ユニット２２と、封緘ユニット２４と、鱗状スタックユニット２６と、マスタコントロールユニット（ＭＣＵ）２８とを備えている。
【０００６】
前記ＭＣＵ２８は、作業（処理）内容を設定、記憶、各ユニットにダウンロードし、作業結果をアップロード、記憶、表示、印刷する。
【０００７】
前記カッタユニット１０は、該ＭＣＵ２８からダウンロードされた設定データに基づき、連続帳票を単票に切り出す。
【０００８】
前記搬送ユニット１２は、該カッタユニット１０で切り出された単票を下流ユニットに搬送する。
【０００９】
前記折りユニット１４は、前記プールユニット１６で名寄せされる単票を封筒に封入可能なサイズ（長さ）に折り畳む。
【００１０】
前記プールユニット１６は、該搬送ユニット１２で搬送されてきた単票を宛名毎にまとめて名寄せする。
【００１１】
前記ＭＪユニット１８は、個別の速度で帳票の搬送が可能な独立搬送系のユニット（例えば１０、１４、１６）と、同一な共通の搬送系を有し、同一の速度で帳票を搬送する共通搬送系のユニット（例えば２０、２２、２４）の間を、搬送速度の同期を取るように結合する。
【００１２】
前記同封物供給ユニット２０は、同封物の数に合わせて同封物帳票を供給する。
【００１３】
前記封入ユニット２２は、帳票（単票＋同封物）を封筒に封入する。
【００１４】
前記封緘ユニット２４は、該封入ユニット２２で帳票が封入された封筒を封緘する。
【００１５】
前記鱗状スタックユニット２６は、該封緘ユニット２４で封緘された封筒を並べる。
【００１６】
このような封入封緘装置において、前記カッタユニット１０から封緘ユニット２４は、ＭＣＵ２８から設定データがダウンロードされた後は、初期設定された一定の処理速度により動作する。又、ＭＣＵとホストＰＣ（図示省略）をＬＡＮ等で接続し、作業終了後、出来高を管理する管理方法等が採用されていた。
【００１７】
このような封入封緘装置の処理速度に関して、特許文献１には、起動時に、予め設定された設定速度まで、処理速度を徐々に増加させて、高速度で急激に立ち上がらないようにして、振動騒音を防止し、用紙の損傷を無くすようにすることが記載されている。
【００１８】
又、特許文献２には、一つの封筒へ封入される封入物の形態（厚さや大きさ等）に応じて封入物の封入速度を変更するようにして、封入物の形態に拘わらず、封入物を封筒へ良好に封入できるようにすることが記載されている。
【００１９】
又、特許文献３には、下流側の搬送装置の搬送ベルトの速度を、上流側の搬送装置の搬送ベルトと同速に制御することで、複数の搬送装置間の速度の同期を確実にとって、帳票等の搬送物をジャムや皺を発生させずに搬送可能とすることが記載されている。
【００２０】
又、特許文献４には、独立搬送系ユニットの１サイクルの時間内で、待ち時間をユニット内搬送時間に分配することにより、帳票のユニット内搬送速度を遅くして、帳票のユニット内搬送速度が不必要に速いことによる帳票のダメージやジャムの発生を防止することが記載されている。
【００２１】
又、特許文献５には、エラー発生時にエラー信号を発生させ、エラー対象を特定し、該当移送体とエラー情報を関連づけて記録させることにより、エラー発生時に搬送制御系を変更することなく、又、搬送が停止した場合にエラー対象の特定、記録を可能とすることが記載されている。
【００２２】
【特許文献１】特開平７−１４９０９８号公報
【特許文献２】特開平９−１４２０９１号公報
【特許文献３】特開２００３−１２１８３号公報
【特許文献４】特開２００２−３７０７１１号公報
【特許文献５】特開２００１−１３０７８５号公報
【発明の開示】
【発明が解決しようとする課題】
【００２３】
しかしながら、従来の処理方法では、封入封緘装置の機器別特有の性能（状態）、保管や印刷内容等により変化する連続帳票、同封物、封筒の状態に処理速度が適合させられず、処理速度が速すぎるためのジャム（エラー）多発や、処理速度が遅過ぎるための出来高低減を招くことがあった。
【００２４】
本発明は、前記従来の問題点を解決するべくなされたもので、最適な処理速度に自動的にリアルタイムで設定される封入封緘装置を提供することを課題とする。
【課題を解決するための手段】
【００２５】
本発明は、処理速度が可変とされた封入封緘装置において、設定可能な区間内のエラー発生回数を監視する手段と、該エラー発生回数に応じて、処理速度をリアルタイムで変更する手段とを備えることにより、前記課題を解決したものである。
【００２６】
又、前記エラー発生回数が許容回数以下の時は処理速度を高め、前記エラー発生回数が許容回数を越えた時は処理速度を低めるようにしたものである。
【００２７】
又、前記処理速度に、上限及び下限の少なくともいずれか一方を設定したものである。
【発明の効果】
【００２８】
本発明によれば、前日データや前回データ等により人手で処理速度を設定するためのＬＡＮ等の設備を用いることなく、封入封緘装置、帳票、同封物、封筒の状態に適した処理速度で封入封緘業務を行なうことが可能となる。
【発明を実施するための最良の形態】
【００２９】
以下図面を参照して、本発明の実施形態を詳細に説明する。
【００３０】
本実施形態は、図１に示したような封入封緘装置において、ＭＣＵ２８で、図２に示すような処理手順により処理速度をリアルタイムで制御する。
【００３１】
具体的には、まずステップ１００で、封入封緘処理に先駆け、同封物の数や折り方（２つ折り、３つ折り、Ｚ字状折り、折らない等）等の作業内容をＭＣＵ２８から設定（ダウンロード）すると共に、初期設定速度Ｖｓ、処理速度見直し間隔（処理数又は時間）Ｂｎ、見直し加減処理速度Ｖ±（加速度Ｖ＋と減速度Ｖ−を別に定義しても良い）をＭＣＵ２８からダウンロードする。又、見直し間隔Ｂｎの１区間内のエラー（ジャム）発生回数を計数する１区間エラーカウンタ、及び、同じくｎ区間のエラー（ジャム）発生回数を計数するｎ区間エラーカウンタはクリアしておく。
【００３２】
次いでステップ１０２で、封入封緘動作を開始する。
【００３３】
次いでステップ１０４で、動作中システムでエラー（ジャム）が発生した場合は、ステップ１０６でエラーカウンタをカウントアップすると共に、エラー復旧作業後、封入封緘動作を再開する。
【００３４】
封入封緘動作を継続し、ステップ１００で設定した処理速度見直しタイミング（処理数＝Ｂｎの倍数）が来たとステップ１０８で判定されたら、直前のｎ区間（ｎ≧１）でのエラー発生回数により処理速度を自動設定（アップ／ダウン）し、処理を続ける。具体的には、ステップ１１０でエラー発生が許容回数以下であると判定されたときには、ステップ１１２に進み、処理速度をＶ±（又はＶ＋）だけアップする。一方、ステップ１１０でエラー発生が許容回数を越えたと判定されたときには、ステップ１１４に進み、処理速度をＶ±（又はＶ−）だけダウンする。ここで、エラー発生許容回数、発生回数によって加減処理速度Ｖ±に掛ける係数ｋ（図３参照）、処理速度の上・下限値等は選択（設定）可能である。又、エラー発生の履歴に応じて、前記係数ｋを重み付けすることもできる。
【００３５】
次いでステップ１１６に進み、ｎ区間エラーカウンタを算出し、１区間エラーカウンタをクリアする。
【００３６】
次いでステップ１１８に進み、作業終了でない場合には、ステップ１０４に戻る。
【００３７】
本実施形態におけるエラー発生回数と処理速度Ｖの変化状態の例を図３に示す。まず初期設定速度Ｖｓまで立ち上げ、その最初の処理速度見直し間隔Ｂｎ１におけるエラー発生回数が２回であったので、処理速度Ｖｓよりも処理速度をＶ±・ｋだけ減速し、次の処理速度見直し間隔Ｂｎ２ではエラーが発生しなかったので、処理速度をＶ±・ｋだけ増速している。
【００３８】
なお、前記実施形態では、封入封緘装置が、カッタユニット、折りユニット、プールユニット、ＭＪユニット、同封物供給ユニット、封入ユニット、封緘ユニット及び鱗状スタックユニットにより構成されていたが、本発明の適用対象はこれに限定されず、これらのいくつかのユニットを削除し、又は、新たな他のユニットを付加する等、装置のシステム構成に種々の変形が可能であり、同様に本発明を適用することができる。
【図面の簡単な説明】
【００３９】
【図１】本発明の適用対象の一例である封入封緘装置の一例を示す（Ａ）平面図及び（Ｂ）正面図
【図２】本発明の実施形態における処理手順を示す流れ図
【図３】同じくエラー発生回数と処理速度の関係の例を示す線図
【符号の説明】
【００４０】
１０…カッタユニット
１２…搬送ユニット
１４…折りユニット
１６…プールユニット
１８…ジョイントユニット（ＭＪユニット）
２０…同封物供給ユニット
２２…封入ユニット
２４…封緘ユニット
２６…鱗状スタックユニット
２８…マスタコントロールユニット（ＭＣＵ）
【図１】
2007022592.tif 000003
【図２】
2007022592.tif 000004
【図３】
2007022592.tif 000005